(57)【要約】【課題】操作部材を互いに直交する２方向へ揺動操作したときの検出タイミングを等しくすることができる多方向入力装置を提供する。【解決手段】Ｙ方向に長い開口１ａを有する第１スライダ１とＸ方向に長い開口２ａを有する第２スライダ２とをそれぞれの開口１ａ，２ａが直交するように積層配置すると共に、これら第１および第２スライダ１，２の移動方向の両端部に第１および第２検出素子４，５を配置し、揺動支点Ｐを中心としてＸ方向およびＹ方向へ揺動可能に支持された操作部材３を両開口１ａ，２ａに挿通させる。そして、操作部材３をＸ方向およびＹ方向へ同じ角度だけ揺動操作したとき、揺動支点Ｐに近い平面上を移動する第２スライダ２は第２不感帯領域Ｓ２を経てから第２検出素子４を動作させるが、揺動支点Ｐから遠い平面上を移動する第１スライダ１は第２不感帯領域Ｓ２よりも幅広に設定された第１不感帯領域Ｓ１を経てから第１検出素子１を動作させるようにした。【選択図】図１
2008016221.tif 000002
【特許請求の範囲】
【請求項１】
中立位置を基準として互いに直交するＸ方向およびＹ方向へ揺動可能に支持された操作部材と、Ｙ方向に長い開口を有してＸ方向へ移動可能にガイドされた第１スライダと、この第１スライダの移動を検出してオン／オフ動作する一対の第１検出素子と、Ｘ方向に長い開口を有してＹ方向へ移動可能にガイドされた第２スライダと、この第２スライダの移動を検出してオン／オフ動作する一対の第２検出素子とを備え、前記第１スライダと前記第２スライダとをそれぞれの前記開口が平面的に重なるように積層配置すると共に、これら両開口に挿通した前記操作部材の前記第２スライダ側の端部を揺動支点とした多方向入力装置であって、
前記第１スライダと前記両第１検出素子との間に該第１検出素子が動作されない第１不感帯領域を確保すると共に、前記第２スライダと前記両第２検出素子との間に該第２検出素子が動作されない第２不感帯領域を確保し、前記操作部材の中立位置で前記第１不感帯領域を前記第２不感帯領域よりも所定のオフセット量だけ広く設定したことを特徴とする多方向入力装置。
【請求項２】
請求項１の記載において、前記第１および第２検出素子はそれぞれ凹部を介して対向配置された受発光素子を有するフォトセンサであり、前記第１および第２スライダがそれぞれ前記開口を包囲する枠状部を有すると共に、この枠状部の相対向する一対の長辺側に前記凹部内を移動する腕部が形成されていることを特徴とする多方向入力装置。
【請求項３】
請求項２の記載において、一対の前記第１検出素子間の対向距離を一対の前記第２検出素子間の対向距離よりも広くすると共に、前記第１スライダの前記両腕部間の長さと前記第２スライダの前記両腕部間の長さを略等しく設定することにより、前記操作部材の中立位置で前記第１不感帯領域が前記第２不感帯領域よりも広くなるようにしたことを特徴とする多方向入力装置。
【請求項４】
請求項２の記載において、一対の前記第１検出素子間の対向距離と一対の前記第２検出素子間の対向距離を略等しくすると共に、前記第１スライダの前記両腕部間の長さを前記第２スライダの前記両腕部間の長さよりも短く設定することにより、前記操作部材の中立位置で前記第１不感帯領域が前記第２不感帯領域よりも広くなるようにしたことを特徴とする多方向入力装置。
【請求項５】
請求項１〜４のいずれか１項の記載において、前記第１検出素子が前記第１スライダの移動を検出するのに必要とされる前記操作部材の中立位置からＸ方向への揺動角度をΔθ、前記操作部材を中立位置からＸ方向にΔθだけ揺動したときの前記第１スライダの移動量をＤ１、前記操作部材を中立位置からＹ方向にΔθだけ揺動したときの前記第２スライダの移動量をＤ２とすると、前記オフセット量はＤ１−Ｄ２であることを特徴とする多方向入力装置。
【発明の詳細な説明】
【技術分野】
【０００１】
本発明は、操作部材を互いに直交する２方向へ選択的に揺動操作することによって入力が可能な多方向入力装置に係り、特に、操作部材の揺動操作を積層配置された上下２段のスライダで直線運動に変換するようにした多方向入力装置に関するものである。
【背景技術】
【０００２】
従来より、開口を有する２つのスライダをそれぞれの開口が直交するように積層配置し、これらスライダの開口に挿通した操作部材を平面上で平行移動させることにより、２つのスライダを互いに直交するＸ方向およびＹ方向へそれぞれ平行移動させるようにした多方向入力装置が知られている（例えば、特許文献１参照）。
【０００３】
図６はかかる従来の多方向入力装置を模式的に示す平面図、図７は図６のＡ−Ａ線に沿う断面図、図８は図６のＢ−Ｂ線に沿う断面図であり、この多方向入力装置は、上下に積層配置された第１および第２スライダ１００，１０１と、これらスライダ１００，１０１を駆動する操作部材１０２と、両スライダ１００，１０１の移動を検出する一対の検出手段（図示せず）とを備えている。上段側の第１スライダ１００はＹ方向を長辺とする開口１００ａを有しており、この第１スライダ１００はＸ方向へ移動可能にガイドされている。下段側の第２スライダ１０１はＸ方向を長辺とする開口１０１ａを有しており、この第２スライダ１０１はＹ方向へ移動可能にガイドされている。すなわち、第１および第２スライダ１００，１０１はそれぞれの開口１００ａ，１０１ａが互いに直交するように積層配置されており、これら開口１００ａ，１０１ａに操作部材１０２が挿通されている。この操作部材１０２は支持部材１０３上に平行移動可能に載置されており、両スライダ１００，１０１と支持部材１０３との間に可変抵抗器等からなる検出手段がそれぞれ設けられている。
【０００４】
このように概略構成された多方向入力装置において、図７に示すように、操作部材１０２をＸ方向へ平行移動させると、その駆動力がＹ方向に長い開口１００ａの長辺側内壁面で受けられて第１スライダ１００に伝達されるため、第１スライダ１００が操作部材１０２と共にＸ方向へ平行移動し、第１スライダ１００の移動が一方の検出手段によって検出される。この場合、操作部材１０２は第２スライダ１０１のＸ方向に長い開口１０１ａ内をＸ方向へ移動するため、第２スライダ１０１は操作部材１０２からの駆動力を受けることなく停止したままである。また、図８に示すように、操作部材１０２をＹ方向へ平行移動させると、その駆動力がＸ方向に長い開口１０１ａの長辺側内壁面で受けられて第２スライダ１０１に伝達されるため、第２スライダ１０１が操作部材１０２と共にＹ方向へ平行移動し、第２スライダ１０１の移動が他方の検出手段によって検出される。この場合、操作部材１０２は第１スライダ１００のＹ方向に長い開口１００ａ内をＹ方向へ移動するため、第１スライダ１００は操作部材１０２からの駆動力を受けることなく停止したままである。
【特許文献１】特開平５−３２４１８４号公報
【発明の開示】
【発明が解決しようとする課題】
【０００５】
前述した従来の多方向入力装置のように、上下に積層配置された第１および第２スライダ１００，１０１が操作部材１０２の平行移動によって駆動されるものにおいては、操作部材１０２のＸ方向およびＹ方向の移動量に対して上段側の第１スライダ１００と下段側の第２スライダ１０１が同じように駆動されるため、第１および第２スライダ１００，１０１によって動作される両検出手段の検出タイミングがずれるという問題は発生しない。
【０００６】
しかしながら、車載用電気機器等の分野では操作部材を揺動操作するタイプの多方向入力装置も要望されており、このように操作部材１０２を支持部材１０３上に揺動可能に支持した場合、両検出手段の検出タイミングに差が出るという問題が発生する。これを図９および図１０に基づいて説明すると、図９に示すように、操作部材１０２をＸ方向へ揺動操作させたとき、その駆動力は上段側の第１スライダ１００に形成された開口１００ａの長辺側内壁面の上端当接部１００ｂで受けられるが、図１０に示すように、操作部材１０２をＹ方向へ揺動操作させたとき、その駆動力は下段側の第２スライダ１０１に形成された開口１０１ａの長辺側内壁面の上端当接部１０１ｂで受けられ、上端当接部１００ｂ，１０１ｂの操作部材１０２の揺動支点Ｐからの高さが第１スライダ１００と第２スライダ１０１とで大きく異なることになる。その結果、操作部材１０２の単位揺動角度当たりの第１および第２スライダ１００，１０１のスライド移動量が同じにならず、操作部材１０２をＸ方向およびＹ方向へそれぞれ同じ角度だけ揺動操作したにも拘わらず、揺動支点Ｐから遠い方の第１スライダ１００が揺動支点Ｐに近い方の第２スライダ１０１よりも大きく移動してしまい、第１および第２スライダ１００，１０１の移動を検出する両検出手段の検出タイミングに差が出ることになる。
【０００７】
本発明は、このような従来技術の実情に鑑みてなされたもので、その目的は、操作部材を互いに直交する２方向へ揺動操作したときの検出タイミングを等しくすることができる多方向入力装置を提供することにある。
【課題を解決するための手段】
【０００８】
上記の目的を達成するために、本発明は、中立位置を基準として互いに直交するＸ方向およびＹ方向へ揺動可能に支持された操作部材と、Ｙ方向に長い開口を有してＸ方向へ移動可能にガイドされた第１スライダと、この第１スライダの移動を検出してオン／オフ動作する一対の第１検出素子と、Ｘ方向に長い開口を有してＹ方向へ移動可能にガイドされた第２スライダと、この第２スライダの移動を検出してオン／オフ動作する一対の第２検出素子とを備え、前記第１スライダと前記第２スライダとをそれぞれの前記開口が平面的に重なるように積層配置すると共に、これら両開口に挿通した前記操作部材の前記第２スライダ側の端部を揺動支点とした多方向入力装置であって、前記第１スライダと前記両第１検出素子との間に該第１検出素子が動作されない第１不感帯領域を確保すると共に、前記第２スライダと前記両第２検出素子との間に該第２検出素子が動作されない第２不感帯領域を確保し、前記操作部材の中立位置で前記第１不感帯領域を前記第２不感帯領域よりも所定のオフセット量だけ広く設定する構成とした。
【０００９】
このように構成された多方向入力装置では、操作部材を互いに直交するＸ方向およびＹ方向へ揺動操作したときに、操作部材の揺動支点に近い方の平面上を移動する第２スライダは第２不感帯領域を経てから第２検出素子を動作させるが、揺動支点から遠い方の平面上を移動する第１スライダは第２不感帯領域よりも幅広に設定された第１不感帯領域を経てから第１検出素子を動作させるため、第１および第２スライダの単位揺動角度当たりの移動量が違っていても、第１スライダの移動を検出する第１検出素子と第２スライダの移動を検出する第２検出素子の検出タイミングを略等しくすることができる。
【００１０】
上記の構成において、第１および第２検出素子はそれぞれ凹部を介して対向配置された受発光素子を有するフォトセンサであり、第１および第２スライダがそれぞれ開口を包囲する枠状部を有すると共に、この枠状部の相対向する一対の長辺側にフォトセンサの凹部内を移動する腕部が形成されていることが好ましい。この場合において、操作部材の中立位置で第１不感帯領域を第２不感帯領域よりも広く設定するための手段として、一対の第１検出素子間の対向距離を一対の第２検出素子間の対向距離よりも広くすると共に、第１スライダの両腕部間の長さと第２スライダの両腕部間の長さを略等しく設定すると、外形や板厚が同じ共通部品を第１スライダおよび第２スライダとして用いることでコストの低減化が図れる。あるいは他の手段として、一対の第１検出素子間の対向距離と一対の第２検出素子間の対向距離を略等しくすると共に、第１スライダの両腕部間の長さを第２スライダの両腕部間の長さよりも短く設定することも可能である。
【００１１】
なお、第１検出素子が第１スライダの移動を検出するのに必要とされる操作部材の中立位置からＸ方向への揺動角度をΔθ、操作部材を中立位置からＸ方向にΔθだけ揺動したときの第１スライダの移動量をＤ１、操作部材を中立位置からＹ方向にΔθだけ揺動したときの第２スライダの移動量をＤ２とすると、所定のオフセット量はＤ１−Ｄ２で求めることができる。
【発明の効果】
【００１２】
本発明の多方向入力装置では、操作部材の揺動支点に近い方の平面上を移動する第２スライダは第２不感帯領域を経てから第２検出素子を動作させるが、揺動支点から遠い方の平面上を移動する第１スライダは第２不感帯領域よりも幅広に設定された第１不感帯領域を経てから第１検出素子を動作させるため、第１および第２スライダの単位揺動角度当たりの移動量が違っていても、第１スライダの移動を検出する第１検出素子と第２スライダの移動を検出する第２検出素子の検出タイミングを略等しくすることができる。
【発明を実施するための最良の形態】
【００１３】
発明の実施の形態について図面を参照して説明すると、図１は本発明の第１実施形態例に係る多方向入力装置の平面図、図２は図１のＡ−Ａ線に沿う断面図、図３は図２のＢ−Ｂ線に沿う断面図である。
【００１４】
これらの図に示すように、本実施形態例に係る多方向入力装置は、上下に積層配置された第１および第２スライダ１，２と、これら両スライダ１，２を駆動する操作部材３と、第１スライダ１の移動を検出する一対の第１検出素子４と、第２スライダ１の移動を検出する一対の第２検出素子５とを備えている。操作部材３は四角柱状に形成されており、その下端は支持部材６上に揺動可能に支持されている。この操作部材３の揺動支点Ｐを原点とするＸ−Ｙ直交座標を設定したとき、上段側の第１スライダ１は図示せぬガイド部材によってＸ方向へ移動可能に支持され、下段側の第２スライダ２は図示せぬガイド部材によってＹ方向へ移動可能に支持されている。
【００１５】
第１スライダ１は、Ｙ方向に長い開口１ａを包囲する枠状部１ｂと、枠状部１ｂの相対向する長辺中央から外側へ延びる一対の腕部１ｃとを有しており、これら枠状部１ｂと腕部１ｃは合成樹脂を用いて一体成形されている。第２スライダ２は、Ｘ方向に長い開口２ａを包囲する枠状部２ｂと、枠状部２ｂの相対向する長辺中央から外側へ延びる一対の腕部２ｃとを有しており、これら枠状部２ｂと腕部２ｃは合成樹脂を用いて一体成形されている。これら第１スライダ１と第２スライダ２は材料や外形寸法等を全て同じくする共通部品であるが、互いの開口１ａ，１ｂが直交するように第２スライダ２上に第１スライダ１が積層配置されている。操作部材３は第１および第２スライダ１，２の開口１ａ，２ａに挿通されており、操作部材３からの駆動力が開口１ａ，２ａの長辺側内壁面で受けられることにより、両スライダ１，２は操作部材３の揺動操作に伴ってＸ方向またはＹ方向へ選択的にスライド移動するようになっている。
【００１６】
ここで、操作部材３をＸ方向へ揺動操作させたとき、その駆動力は上段側の第１スライダ１に形成された開口１ａの長辺側内壁面の当接部１ｄで受けられるが、操作部材３をＹ方向へ揺動操作させたとき、その駆動力は下段側の第２スライダ２に形成された開口２ａの長辺側内壁面の当接部２ｄで受けられ、当接部１ｄ，２ｄの操作部材３の揺動支点Ｐからの高さが第１スライダ１と第２スライダ２とで異なっている。すなわち、第１のスライダ１の当接部１ｄを含む平面から揺動支点Ｐに至る垂線の長さをＨ１（図２参照）、第２のスライダ２の当接部２ｄを含む平面から揺動支点Ｐに至る垂線の長さをＨ２（図３参照）とすると、これらはＨ１＞Ｈ２の関係にあり、操作部材３をＸ方向およびＹ方向へそれぞれ同じ角度だけ揺動操作したとき、揺動支点Ｐから遠い平面上を移動する第１スライダ１は揺動支点Ｐに近い平面上を移動する第２スライダ２よりも大きく移動する。なお、上段側の第１スライダ１が操作部材３からの駆動力を受けてＸ方向へスライド移動するとき、下段側の第２スライダ２はその開口２ａ内を操作部材３が相対移動するだけで移動せず、第２スライダ２が操作部材３からの駆動力を受けてＹ方向へ移動するとき、第１スライダ１はその開口１ａ内を操作部材３が相対移動するだけで移動しない。
【００１７】
一対の第１検出素子４は第１スライダ１を介してＸ軸上に配置されたフォトインタラプタからなり、これらフォトインタラプタは凹部４ａを介して対向する発光素子４ｂと受光素子４ｃ間の光路が遮断されることによってオン動作するフォトセンサである。一対の第２検出素子５は第２スライダ２を介してＹ軸上に配置されたフォトインタラプタからなり、これらフォトインタラプタは凹部５ａを介して対向する発光素子５ｂと受光素子５ｃ間の光路が遮断されることによってオン動作するフォトセンサである。これら４個の検出素子４，５は図示せぬプリント基板上に実装されているが、Ｘ−Ｙ座標の原点から各検出素子４，５までの距離は全て同じではなく、Ｘ軸上に対向配置された両第１検出素子４間の距離がＹ軸上に対向配置された両第２検出素子５間の距離に対して広く設定されている。これにより、第１スライダ１と第２スライダ２がＸ方向およびＹ方向の中立位置にあるとき、図２に示すように、第１スライダ１の腕部１ｃの先端と第１検出素子４の光路との間に比較的広い距離Ｄ１が確保されると共に、図３に示すように、第２スライダ２の腕部２ｃの先端と第２検出素子５の光路との間に距離Ｄ１よりも狭い距離Ｄ２（Ｄ１＞Ｄ２）が確保される。ここで、距離Ｄ１は第１不感帯領域Ｓ１に相当する空間であり、第１スライダ１の腕部１ｃの先端が第１不感帯領域Ｓ１内を移動するとき、第１検出素子４の発光素子４ｂと受光素子４ｃ間の光路は遮断されていないが、腕部１ｃの先端が第１不感帯領域Ｓ１内を通過して距離Ｄ１がゼロになると、第１検出素子４の発光素子４ｂと受光素子４ｃ間の光路が遮断される。また、距離Ｄ２は第２不感帯領域Ｓ２に相当する空間であり、第２スライダ２の腕部２ｃの先端が第２不感帯領域Ｓ２内を移動するとき、第２検出素子５の発光素子５ｂと受光素子５ｃ間の光路は遮断されていないが、腕部２ｃの先端が第２不感帯領域Ｓ２内を通過して距離Ｄ２がゼロになると、第２検出素子５の発光素子５ｂと受光素子５ｃ間の光路が遮断される。
【００１８】
このように構成された多方向入力装置において、操作部材３は非操作状態で鉛直方向を向いて中立位置に保持されており、この操作部材３がそれぞれ開口１ａ，２ａの長手方向中央に位置することにより、第１スライダ１と第２スライダ２はＸおよびＹ方向の中立位置にある。この場合、第１スライダ１の両腕部１ｃの先端はそれぞれ第１検出素子４の凹部４ａ入口にあり、これら腕部１ｃの先端と第１検出素子４の光路との間には比較的広い第１不感帯領域Ｓ１が確保されている。一方、第２スライダ２の両腕部２ｃの先端はそれぞれ第２検出素子５の凹部５ａ内に若干浸入しており、これら腕部２ｃの先端と第２検出素子５の光路との間には比較的狭い第２不感帯領域Ｓ２が確保されている。したがって、第１検出素子４の発光素子４ｂと受光素子４ｃ間の光路と第２検出素子５の発光素子５ｂと受光素子５ｃ間の光路はいずれも遮断されておらず、全ての検出素子４，５からハイレベルの信号が出力されている。
【００１９】
かかる非操作状態で操作部材３が中立位置からＸ方向へ揺動操作されると、操作部材３はＸ方向に長い開口２ａを相対移動するだけであるため、第２スライダ２は操作部材３からの駆動力を受けることなく停止したままであるが、第１スライダ１は操作部材３からの駆動力を当接部１ｄで受けてＸ方向へスライド移動する。この場合、第１スライダ１の移動に伴って腕部１ｃの先端が第１不感帯領域Ｓ１内を移動し、操作部材３がＸ方向の末端位置まで揺動操作された時点で、第１検出素子４の発光素子４ｂと受光素子４ｃ間の光路が腕部１ｃの先端によって遮断されるため、第１検出素子４がオン動作してローレベルの信号が出力される。
【００２０】
一方、操作部材３が中立位置からＹ１へ揺動操作されると、操作部材３はＹ方向に長い開口１ａを相対移動するだけであるため、第１スライダ２は操作部材３からの駆動力を受けることなく停止したままであるが、第２スライダ２は操作部材３からの駆動力を当接部２ｄで受けてＹ方向へスライド移動する。この場合、第２スライダ２の移動に伴って腕部２ｃの先端が第２不感帯領域Ｓ２内を移動し、操作部材３がＹ方向の末端位置まで揺動操作された時点で、第２検出素子５の発光素子５ｂと受光素子５ｃ間の光路が腕部２ｃの先端によって遮断されるため、第２検出素子５がオン動作してローレベルの信号が出力される。
【００２１】
ここで前述したように、操作部材３をＸ方向およびＹ方向へそれぞれ同じ角度だけ揺動操作したとき、揺動支点Ｐから遠い平面上を移動する第１スライダ１は揺動支点Ｐに近い平面上を移動する第２スライダ２よりも大きく移動するが、第１スライダ１の腕部１ｃの先端と第１検出素子４の光路との間に確保された第１不感帯領域Ｓ１の距離Ｄ１が、第２スライダ２の腕部２ｃの先端と第２検出素子５の光路との間に確保された第２不感帯領域Ｓ２の距離Ｄ２よりも広く設定されているため、第１スライダ１の移動を検出する第１検出素子４と第２スライダ２の移動を検出する第２検出素子５の検出タイミングを略等しくすることができる。すなわち、両腕部１ｃ，２ｃ間の長さを含めた外形寸法が同じ第１スライダ１と第２スライダ２に対して第１および第２検出素子４，５を同じように配置するのではなく、第１スライダ１と第１検出素子４間の第１不感帯領域Ｓ１（距離Ｄ１）が第２スライダ２と第２検出素子５間の第２不感帯領域Ｓ２（距離Ｄ２）よりも広くなるように、換言すると、第１検出素子４よりも距離Ｄ０（Ｄ０＝Ｄ１−Ｄ２）だけ内側へオフセットした位置に第２検出素子５を配置することにより、第１検出素子４と第２検出素子５の検出タイミングを略等しくしている。
【００２２】
第１不感帯領域Ｓ１と第２不感帯領域Ｓ２の差である上記オフセット量Ｄ０の算出方法を図４を参照して説明する。図４において、揺動支点Ｐに垂直な仮想線Ｚから第１スライダ１の腕部１ｃの先端までの長さをＷ１、仮想線Ｚから第２スライダ２の腕部２ｃの先端までの長さをＷ２、揺動支点Ｐから腕部１ｃの先端を通る直線と仮想線Ｚとのなす角度をθ１、揺動支点Ｐから腕部２ｃの先端を通る直線と仮想線Ｚとのなす角度をθ２とし、両腕部１ｃ，２ｃの先端が同一角度ΔθでＤ１，Ｄ２の末端位置に達するためには、
Ｈ１×ｔａｎ（θ１＋Δθ）＝Ｗ１＋Ｄ１・・・（１）
Ｈ２×ｔａｎ（θ２＋Δθ）＝Ｗ２＋Ｄ２・・・（２）
を満足する必要があり、（１）式から（２）式を引くと、
Ｄ０＝Ｄ１−Ｄ２＝Ｈ１×ｔａｎ（θ１＋Δθ）−Ｈ２×ｔａｎ（θ２＋Δθ）−（Ｗ１−Ｗ２）・・・（３）
を求めることができる。本実施形態例の場合、第１スライダ１と第２スライダ２の外形寸法が同一であるため、（３）式にＷ１＝Ｗ２を代入すると、
Ｄ０＝Ｈ１×ｔａｎ（θ１＋Δθ）−Ｈ２×ｔａｎ（θ２＋Δθ）・・・（４）
となる。したがって、上記（４）により求めたオフセット量Ｄ０を考慮して図示せぬプリント基板上に第１および第２検出素子４，５を実装すれば、操作部材３をＸ方向およびＹ方向へ同じ角度だけ揺動操作したときに、第１スライダ１の腕部１ｃによってオン動作される第１検出素子４の検出タイミングと第２スライダ２の腕部２ｃによってオン動作される第２検出素子５の検出タイミングとが略等しくなる。
【００２３】
図５は本発明の第２実施形態例に係る多方向入力装置の平面図であり、図１に対応する部分には同一符号を付すことで重複する説明を省略している。
【００２４】
この第２実施形態例が前述した第１実施形態例と相違する点は、４個の第１および第２検出素子４，５をＸ−Ｙ座標の原点から全て等距離に配置する代わりに、第１スライダ１の両腕部１ｃの先端間長さＬ１を第２スライダ２の両腕部２ｃの先端間長さＬ２よりも短く設定することにより、操作部材３の中立位置で第１不感帯領域Ｓ１が第２不感帯領域Ｓ２よりも広くなるようにしたことにあり、それ以外の構成は基本的に同じである。
【図面の簡単な説明】
【００２５】
【図１】本発明の第１実施形態例に係る多方向入力装置の平面図である。
【図２】図１のＡ−Ａ線に沿う断面図である。
【図３】図２のＢ−Ｂ線に沿う断面図である。
【図４】第１不感帯領域と第２不感帯領域間のオフセット量の算出方法を示す説明図である。
【図５】本発明の第２実施形態例に係る多方向入力装置の平面図である。
【図６】従来例に係る多方向入力装置を模式的に示す平面図である。
【図７】図６のＡ−Ａ線に沿う断面図である。
【図８】図６のＢ−Ｂ線に沿う断面図である。
【図９】従来技術の問題点を示す説明図である。
【図１０】従来技術の問題点を示す説明図である。
【符号の説明】
【００２６】
１  第１スライダ
２  第２スライダ
１ａ，２ａ  開口
１ｂ，２ｂ  枠状部
１ｃ，２ｃ  腕部
１ｄ，２ｄ  当接部
３  操作部材
４  第１検出素子
５  第２検出素子
４ａ，５ａ  凹部
４ｂ，５ｂ  発光素子
４ｃ，５ｃ  受光素子
６  支持部材
Ｐ  揺動支点
Ｓ１  第１不感帯領域
Ｓ２  第２不感帯領域
【図１】
2008016221.tif 000003
【図２】
2008016221.tif 000004
【図３】
2008016221.tif 000005
【図４】
2008016221.tif 000006
【図５】
2008016221.tif 000007
【図６】
2008016221.tif 000008
【図７】
2008016221.tif 000009
【図８】
2008016221.tif 000010
【図９】
2008016221.tif 000011
【図１０】
2008016221.tif 000012